(57)【特許請求の範囲】
【請求項１】
多段伸縮式の傘軸（１）と、
傘軸（１）の上端に固定される上ろくろ（１０）と、
傘軸（１）に同軸に摺動自在に設けられる下ろくろ（１１）と、
一方の端部が上ろくろ（１０）に連結される上支骨（２）と、
一方の端部が下ろくろ（１１）に連結され、他方の端部が上支骨（２）の中間部に連結される下支骨（３）と、
一方の端部近傍が、上支骨（２）の、上ろくろ（１０）が連結された方とは反対側の端部に連結される中間支骨（４）と、
一方の端部が、下支骨（３）の、上支骨（２）が連結された側の端部近傍に連結され、他方の端部が、中間支骨（４）の、上支骨（２）が連結された側の端部に連結される下連繋骨（５）と、
一方の端部近傍が、中間支骨（４）の、上支骨（２）が連結された方とは反対側の端部に連結される尾骨（６）と、
一方の端部が、下連繋骨（５）の、中間支骨（４）が連結された側の端部近傍に連結され、他方の端部が、尾骨（６）の、中間支骨（４）が結合された側の端部に連結される上連繋骨（７）と、
を具備し、一面に傘布（８）が張られる多段折畳式洋傘において、
上支骨（２）は、少なくともその下支骨（３）が連結される部分から、中間支骨（４）側の端部までが、下支骨（３）及び中間支骨（４）を両側から挟むようにして対面する一対の側板部（２０、２１）と、下支骨（３）が連結されている部分付近では、側板部（２０、２１）の傘布（８）側の縁部同士を結び、中間支骨（４）側の端部に近づくに従って徐々に下連繋骨（５）側に近づくよう傾斜し、その終端は上連繋骨（７）の移動を妨げない位置で側板部（２０、２１）間の空間を二分している傾斜板部（２２）とから成り、
下支骨（３）は、少なくともその中央領域が、下連繋骨（５）が連結される側が開放された断面コの字状の部材であって、その外幅が上支骨（２）の側板部（２０、２１）の内幅より狭いものであり、
中間支骨（４）は、少なくとも下連繋骨（５）側の端部からその中間部までの幅が、上支骨（２）の側板部（２０、２１）の内幅より狭いものであり、
傘骨を折り畳んだときに、中間支骨（４）の一部を上支骨（２）の側板部（２０、２１）の間に、傾斜板部（２２）の一側面に沿って収容し、下支骨（３）と下連繋骨（５）の一部を他の一側面に沿って収容するようにした上記の多段折畳式洋傘。
【請求項２】
中間支骨（４）が、傘布（８）側の面にその長さ方向に沿って上連繋骨（７）を収容するための溝部（４０）を有する断面略コの字状のものであって、その中程に溝部（４０）の開口を部分的に塞ぐ当板部（４１）と、当板部（４１）の対向部に、その長さが少なくとも当板部（４１）の長さと等しいスリット（４２）を有し、上連繋骨（７）が当板部（４１）とその対向部の間を通るよう構成する請求項１に記載の多段折畳式洋傘。
【請求項３】
中間支骨（４）が、その両側面の、傘布（８）とは反対側の縁部に沿って、その両側面から張り出す翼部（４３）を有する請求項１又は２に記載の多段折畳式洋傘。
【発明の詳細な説明】
【０００１】
【発明の属する技術分野】
本発明は、特に、コンパクトに折り畳むことができる多段折畳式洋傘に関する。
【０００２】
【従来の技術】
従来の多段折畳式洋傘の上支骨は、下連繋骨側が開口した断面コの字状のものであったため、折り畳んだときに下連繋骨は上支骨及び下支骨の内部に収容されるが、中間支骨が嵩張ってコンパクトに畳めないという問題があった。
また、従来の多段折畳式洋傘における上連繋骨は、特別な係止具を介して中間支骨に係止されるものであるため、製造コストが嵩むという問題があった。
【０００３】
【発明が解決しようとする課題】
本発明は上記の問題を解決するためなされたものであり、その目的とすることろは、コンパクトに折り畳むことができ、特別な係止具を用いずに上連繋骨を係止できる多段折畳式洋傘を提供することにある。
【０００４】
【課題を解決するための手段】
上記の第一の目的は、上支骨の中間支骨が連結される端部側を、中間支骨を両側から挟むように対面する一対の側板部と、下支骨が連結されている部分付近では、側板部の傘布側の縁部同士を結び、中間支骨側の端部に近づくに従って徐々に下連繋骨側に近づくよう傾斜し、その終端が側板部間の空間を二分している傾斜板部とによって構成し、傘骨を折り畳んだときに、中間支骨の一部を側板部の間に、傾斜板部の一側面に沿って収容し、下支骨と下連繋骨の一部を他の一側面に沿って収容するようにすることによって達成される。
【０００５】
また、上記の第二の目的は、中間支骨に、その傘布側の面にその長さ方向に沿って上連繋骨を収容するための溝部と、その中程に溝部の開口を部分的に塞ぐ当板部と、当板部の対向部に、その長さが当板部の長さ以上のスリットとを設け、上連繋骨が当板部とその対向部の間を通るようにし、上連繋骨が中間支骨の当板部によって溝から外れないようにすることによって達成される。
【０００６】
【発明の実施の態様】
以下、図面により本発明の詳細を説明する。
図１は本発明に係る多段折畳式洋傘の一実施例の開いた状態を示す部分破断説明図、図２は図１に示した洋傘の部分斜視図、図３は図１に示した上支骨のＡ−Ａ断面図、図４は図１に示した洋傘の折畳状態を示す説明図、図５は図３の部分破断説明図である。
図中、１は傘軸、２は上支骨、３は下支骨、４は中間支骨、５は下連繋骨、６は尾骨、７は上連繋骨、８は傘布である。
【０００７】
まず、図１及び図２について説明する。
傘軸１は三段伸縮式のものであり、上端に固定される上ろくろ１０と、傘軸１に同軸に摺動自在に設けられる下ろくろ１１と、下端に図示しない傘柄とを具備する。
上支骨２は、一方の端部が上ろくろ１０に連結される繊維強化樹脂製のものである。
この上支骨２は、上ろくろ１０側の約半分は角柱状であり、残りの部分は、側板部２０、２１と、傾斜板部２２とから成る。
【０００８】
側板部２０、２１は、それぞれ上支骨２の回動軸に直角な平面で、所定距離を介して対向している。
傾斜板部２２は、上支骨２の中程では側板部２０、２１の傘布８側の縁部同士を結び、側板部２０、２１の端部に近づくに従って徐々に傘布８とは反対側の縁部に近づくよう傾斜し、その端部から所定距離離れた位置で、側板部２０、２１の間の空間を二分して終端する。
このため、この上支骨２は、その傾斜板部２２の中程では、図３に示したように、断面Ｈ字状になっている。
【０００９】
下支骨３は、両端に連結部を有し、その外幅が上支骨２の側板部２０、２１の内幅より狭い、断面コの字状の繊維強化樹脂製のものである。
この下支骨３は、断面コの字状の部分の開口が上支骨２側を向くよう、一方の端部が下ろくろ１１に連結され、他方の端部が上支骨２の側板部２０、２１の間に挟まれるよう上支骨２の中間部に連結される。
中間支骨４は、一方の端部近傍が、上支骨２の、上ろくろ１０が連結された方とは反対側の端部に連結される繊維強化樹脂製のものである。
【００１０】
この中間支骨４は、傘布８側の面にその長さ方向に沿って、中程の一部が当板部４１によって塞がれている溝部４０を有し、また、その当板部４１の対向する部分には、長さが当板部４１の長さの３倍程度のスリット４２を有する。
この中間支骨４に、上記のような溝部４０、当板部４１及びスリット４２を設けるには、まず、傘布８側の面に、当板部４１となる部分で、途中で途切れる所定の深さの二条の溝を削り、次に、その反対側から、スリット４２を形成する位置に、当板部４１を削り落とさない深さの溝を削り、溝部４０を連続させるとよい。
【００１１】
また、この中間支骨４は、その両側面の、傘布とは反対側の縁部に沿って、中間支骨４の上支骨２が連結されている側の端部からその中間部付近にかけて、その両側面から両側に張り出す翼部４３を有する。
下連繋骨５は金属板を断面Ｕ字状に成型して成るものであって、一方の端部が、下支骨３の、上支骨２が結合された側の端部近傍に連結され、他方の端部が、中間支骨４の、上支骨２が結合された側の端部に結合される。
【００１２】
尾骨６は剛性のある金属棒の一端に連結具を設けて成るものであり、その連結具の端部近傍の部分が、中間支骨４の、上支骨２が結合された方とは反対側の端部に連結される。
上連繋骨７は弾性のある金属線であり、一方の端部が、下連繋骨５の、中間支骨４が結合された側の端部近傍に連結され、他方の端部が、上支骨２の側板部２０、２１の間を抜け、中間支骨４の溝部４０を通り、当板部４１を潜って、尾骨６の接続具の端部に連結される。
この傘骨の上側の一面には傘布８が張られる。
【００１３】
上記のように構成される本発明に係る多段折畳式洋傘を畳むと、図４に示したように、上支骨２の側板部２０、２１の間の傘軸１側には、下支骨３の一部と、下連繋骨５の一部が収まり、また、その反対側には、中間支骨４の一部が傾斜板２２に沿って収まるものである。
このとき、中間支骨４と下連繋骨５とは、図５に示したように、上支骨２の傾斜板部２２を挟んで極めて近接し、上支骨２の側板部２０、２１の間の空間には遊びがほとんどなくなるので、洋傘をコンパクトに折り畳むことができる。
また、この洋傘の中間支骨４は、一体に製造されるので、製造コストを低くでき、また、この中間支骨４に案内される上連繋骨７は、中間支骨４との接触面積が少なく、傘の開閉がスムーズになり、さらに、中間支骨４の翼部４３、４４は、傘を開いたときの傘骨の強度を大幅に高めるものである。
【００１４】
なお、本発明は如上の実施例に限定されるものではなく、各支骨等の連結方法や、材質、形状等は、本発明の目的の範囲内で自由に設計変更し得るものであり、本発明は上記の説明から当業者が容易に想到し得る総ての変更実施例を包摂するものである。
【００１５】
【発明の効果】
本発明に係る多段折畳式洋傘は如上の如く構成されるので、本発明によるときは、コンパクトに折り畳むことができると共に、製造コストを低く抑えることができる。
【図面の簡単な説明】
【図１】本発明に係る多段折畳式洋傘の一実施例の開いた状態を示す部分破断説明図である。
【図２】図１に示した洋傘の部分斜視図である。
【図３】図１に示した上支骨のＡ−Ａ断面図である。
【図４】図１に示した洋傘の折畳状態を示す説明図である。
【図５】図３の部分破断説明図である。
【符号の説明】
１・・・・・・傘軸
１０・・・・・上ろくろ
１１・・・・・下ろくろ
２・・・・・・上支骨
２０・・・・・側板部
２１・・・・・側板部
２２・・・・・傾斜板部
３・・・・・・下支骨
４・・・・・・中間支骨
４０・・・・・溝部
４１・・・・・当板部
４２・・・・・スリット
４３・・・・・翼部
５・・・・・・下連繋骨
６・・・・・・尾骨
７・・・・・・上連繋骨
８・・・・・・傘布
【図１】
0003790298.tif 000002
【図２】
0003790298.tif 000003
【図３】
0003790298.tif 000004
【図４】
0003790298.tif 000005
【図５】
0003790298.tif 000006